(57)【要約】【課題】記録装置の消耗品を使用者に無償あるいは安価で提供する。【解決手段】記録装置の使用者が意図する内容と、それ以外の情報を混在させる手段を有する記録装置において、それに使用される消耗品に前記情報を記憶させると共に、該消耗品に該情報の内容の一部または全てを記載した記録システムとその流通手段。【選択図】　　　　図１
2004025722.tif 000002
【特許請求の範囲】
【請求項１】
入力された内容または編集処理された内容を記録媒体上に記録する記録装置及び記録システムを使用する当事者（以後使用者と呼ぶ）が意図する記録内容に、使用者以外の第三者（情報提供者）の情報内容を混在させる手段と、前記混在させる情報を前記記録装置に着脱可能に取付けられたインクタンクに記憶する手段を設けた記録装置及び記録システムにおいて、前記インクタンクに記憶されている情報提供者あるいは情報内容を前記インクタンクに表示したことを特徴とする記録装置及び記録システム。
【請求項２】
前記使用者が意図する記録内容に前記情報提供者からの情報を混在させ、記録されることを許容することで前記記録装置及び記録システムに使用されるインクタンクを安価または無償で使用可能となることを特徴とする請求項１記載の記録装置及び記録システム。
【請求項３】
前記インクタンクの価格は、前記情報提供者あるいは情報内容に応じて決定されることを特徴とする請求項１記載の前記記録装置及び記録システム。
【請求項４】
前記インクタンクには複数の情報が記憶されており、前記使用者が前記複数の情報の中から一つあるいは複数を選択する選択手段を有する請求項１記載の記録装置及び記録システム。
【請求項５】
入力された内容または編集処理された内容を記録媒体上に記録する記録装置及び記録システムを使用する当事者（以後使用者と呼ぶ）が意図する記録内容に、使用者以外の第三者（情報提供者）の情報内容を混在させる手段と、前記混在させる情報を前記記録装置に着脱可能に取付けられた記録ヘッドに記憶する手段を設けた記録装置及び記録システムにおいて、前記記録ヘッドに記憶されている情報提供者あるいは情報内容を前記記録ヘッドに表示したことを特徴とする記録装置及び記録システム。
【請求項６】
前記使用者が意図する記録内容に前記情報提供者からの情報を混在させ、記録されることを許容することで前記記録装置及び記録システムに使用される記録ヘッドを安価または無償で使用可能となることを特徴とする請求項５記載の記録装置及び記録システム。
【請求項７】
前記記録ヘッドの価格は、前記情報提供者あるいは情報内容に応じて決定されることを特徴とする請求項５記載の前記記録装置及び記録システム。
【請求項８】
前記記録ヘッドには複数の情報が記憶されており、前記使用者が前記複数の情報の中から一つあるいは複数を選択する選択手段を有する請求項５記載の記録装置及び記録システム。
【請求項９】
前記記録ヘッドはインクタンクが一体又は着脱可能に取り付けられていることを特徴とする請求項５記載の記録装置及び記録システム。
【発明の詳細な説明】
【０００１】
【発明の属する技術分野】
入力された内容または編集処理された内容を記録媒体上に出力する記録装置および記録システムとその流通手段に関するものである。
【０００２】
【従来の技術】
従来、測定器などの記録装置は測定器から入力されたデータを必要な形式（数字・グラフ・画像など）で記録媒体に直接記録を行っていた。
【０００３】
近年普及した記録装置を接続可能なパーソナルコンピューター（以後パソコンと呼ぶ）やワードプロセッサ、タイプライター等は入力データを編集することができ、使用者は例えばパソコン上で処理した編集結果を記録装置固有の記録方法に変換させるための固有の記録装置の動作制御手段（プリンタードライバー）を介して記録装置を動作させ前記編集結果を出力していた。
【０００４】
また、デジタルカメラに入力された画像を直接記録する記録装置などもあった。一方、記録装置の流通という側面から鑑みれば、記録装置の使用者は前記記録装置の製造原価に製造者の利益を付加した対価を製造者に支払うことで商取引は成り立っていた。
【０００５】
【発明が解決しようとする課題】
しかしながら使用者は記録装置を購入しても、使用する毎に消耗品の経費がかかる。例えば、記録装置の記録方式がインクジェット方式の場合はインクが、熱転写方式の場合はインクリボンが消耗していく。したがって使用者はなるべく消耗品の経費がかからないように、記録する回数を減らしたりしてしまう。
【０００６】
製造者としては使用者に多くの記録を行ってもらうことにより、消耗品の売り上げが伸び、利益を享受できる。
【０００７】
そのためにはいかに消耗品の価格を下げ、多くの使用者に使ってもらうようにするかの工夫をしなければならない。
【０００８】
更に近年は情報を不特定多数に提供することで利益を得る企業（情報提供者）も存在するようになり、情報提供者は常に大衆に情報を伝達する必要があると共に、多くの人々に情報を伝達することで情報提供者の知名度が上がり、情報を受ける人が増えるほど情報提供者の利益も増加するため、より多くの人々に情報を伝達させるための努力も必要である。
【０００９】
【課題を解決する為の手段】
本発明は上記課題を解決するために、入力された内容または編集処理された内容を記録媒体上に記録する記録装置及び記録システムを使用する当事者（以後使用者と呼ぶ）が意図する記録内容に、使用者以外の第三者（情報提供者）の情報内容を混在させる手段と、前記混在させる情報を前記記録装置に着脱可能に取付けられたインクタンクに記憶する手段を設けた記録装置及び記録システムにおいて、前記インクタンクに記憶されている情報提供者あるいは情報内容を前記インクタンクに表示する。
【００１０】
そして前記使用者が意図する記録内容に前記情報提供者からの情報を混在させ、記録されることを許容することで前記記録装置及び記録システムに使用されるインクタンクを安価または無償で使用可能となる。
【００１１】
また前記インクタンクの価格は、前記情報提供者あるいは情報内容に応じて決定される。
【００１２】
更に前記インクタンクには複数の情報が記憶されており、前記使用者が前記複数の情報の中から一つあるいは複数を選択する選択手段を有している。
【００１３】
更にまた、入力された内容または編集処理された内容を記録媒体上に記録する記録装置及び記録システムを使用する当事者（以後使用者と呼ぶ）が意図する記録内容に、使用者以外の第三者（情報提供者）の情報内容を混在させる手段と、前記混在させる情報を前記記録装置に着脱可能に取付けられた記録ヘッドに記憶する手段を設けた記録装置及び記録システムにおいて、前記記録ヘッドに記憶されている情報提供者あるいは情報内容を前記記録ヘッドに表示する。
【００１４】
そして前記使用者が意図する記録内容に前記情報提供者からの情報を混在させ、記録されることを許容することで前記記録装置及び記録システムに使用される記録ヘッドを安価または無償で使用可能とする。
【００１５】
また前記記録ヘッドの価格は、前記情報提供者あるいは情報内容に応じて決定される。
【００１６】
更に前記記録ヘッドには複数の情報が記憶されており、前記使用者が前記複数の情報の中から一つあるいは複数を選択する選択手段を有する。
【００１７】
また前記記録ヘッドはインクタンクが一体又は着脱可能に取り付けられている。
【００１８】
このように本発明によれば、情報提供者という第三者が介在することで使用者は記録装置の消耗品購入に際して対価を支払わずに若しくは安価で取得可能となり、製造者は売り上げの確保を可能とすることができる。
【００１９】
即ち、情報提供者は記録装置の使用者に対し、記録装置を介して情報を提供できるという効果に価値を見出すことにより、情報提供者と記録装置の製造者の間で相応の売買取り引きが行われる。
【００２０】
また使用者は、使用者の意図する内容以外に情報が記録されることを許容することで記録装置の消耗品を無償または安価で使用可能となる取り引き関係を製造者と行うことで、情報提供者は使用者の意志如何に関わらず使用者に情報を提示可能となる。
【００２１】
【発明の実施の形態】
以下、図面を参照して本発明の実施例を説明する。
【００２２】
図１は本発明の特徴を最も良く表している図面であり、本発明における記録装置の出力までのフローチャートを示している。
【００２３】
図１において、情報提供者の情報は、記録装置の製造者に渡され、前記情報は前記製造者によって、インクタンクの記憶手段に書き込まれ、その後、情報の書き込まれたインクタンクは使用者に渡り、記録装置に装着される。使用者がパソコン上で編集した結果を記録するため記録命令を下すとパソコンは前記記録装置に接続される。情報提供者からの情報には、最新の情報内容である新製品情報と情報提供者の会社ロゴが含まれている。前記使用者のパソコンは、前記記録装置を介して前記インクタンクの記憶手段に書き込まれた情報をパソコン内に読み込み、プリンタードライバー上で記録媒体のヘッダ部分に情報提供者の会社ロゴを、フッダ部分に新製品情報を画面表示し、その表示内容と前記編集結果の混在した内容が記録装置により記録される。
【００２４】
ここで選択できるのは一つの情報提供者の一つの情報に限らず、複数が選択できるようになっていても問題ない。
【００２５】
また情報提供者名と選択した情報の両方が記録されるようになっているが、いずれか一方で、も構わない。
【００２６】
図２は前記情報提供者の情報を記憶したインクタンクの外観斜視図である。
【００２７】
図２において、各インクタンクには記録装置の製造者（この場合キヤノン）と情報提供者であるＡ社とＢ社の表示ラベルが貼付してある。
【００２８】
インクタンクの価格は記憶されている情報に応じて決定されており、製造者のものは内部に情報の記憶がなく、使用者が意図した内容のみをそのまま記録できるため前記インクタンクの価格も１，０００円と多少割高となっている。
【００２９】
Ａ社のものはａ情報、ｂ情報、ｃ情報と３つの情報が記憶されて４００円、Ｂ社のものはｄ情報、ｅ情報の２つの情報が記憶されて５００円という価格設定になっており、情報内容、情報量等に応じて価格は決定されている。
【００３０】
したがってインクタンクの価格は前述の通りである必要はなく、更には無償でもよく、情報提供者によって決定されるものである。
【００３１】
図３は記録装置の使用者と製造者の取り引き関係を示す従来例である。
【００３２】
使用者と製造者は記録装置及び消耗品を軸として売買という一対一の関係にある。即ち、記録装置を使用することを希望する使用者は製造者に記録装置の対価を支払うことで記録装置が使用可能となり、また更に継続的に使用するためには消耗品を製造者より購入することにより使用可能となる。
【００３３】
図４は記録装置の使用者と製造者及び情報提供者の前記記録装置の消耗品に関する取引関係をを示す簡略図である。
【００３４】
情報提供者は、ランニングコストを抑えるために安価な消耗品を購入したいと希望している多数の使用者を情報提供先として獲得するために相応の対価及び情報を製造者に譲渡する。
【００３５】
製造者はその情報を消耗品内に記憶させると共に、消耗品の一部に記憶させた内容が分かるように情報提供者名あるいは情報内容を記載した表示ラベルを貼付し、その他の消耗品と区別が付くようにする。
【００３６】
使用者は複数種類の表示ラベルが貼付された消耗品から自分が必要と思われるものを選択し、購入するのに必要な対価を製造者に支払う。
【００３７】
情報提供者によっては消耗品価格を無償にするだけに相当する対価を製造者に支払う場合もあるため、この場合の消耗品は、使用者は無償で受け取ることが可能となる。したがってこの場合、図４中の使用者から製造者への対価の支払いは行われない。
【００３８】
（実施形態２）
図５は他の実施例を示すものであり、情報提供者の情報を記憶した記録ヘッドの外観斜視図である。
【００３９】
図５において、各記録ヘッドには記録装置の製造者（この場合キヤノン）と情報提供者であるＡ社とＢ社の表示ラベルが貼付してある。
【００４０】
記録ヘッドの価格は記憶されている情報に応じて決定されており、製造者のものは内部に情報の記憶がなく、使用者が意図した内容のみをそのまま記録できるため前記記録ヘッドの価格も３，０００円と多少割高となっている。
【００４１】
Ａ社のものはａ情報、ｂ情報、ｃ情報と３つの情報が記憶されて１，５００円、Ｂ社のものはｄ情報、ｅ情報の２つの情報が記憶されて１，８００円という価格設定になっており、情報内容、情報量等に応じて価格は決定されている。
【００４２】
記録ヘッドは有償でも無償でもよく、情報提供者によって決定される。
【００４３】
【発明の効果】
以上説明したように本発明によれば、使用者は無償または安価で記録装置の消耗品を使用することができる。
使用者は常に新しい技術を享受することができる。
情報提供者は確実な情報提供先を獲得することができる。
製造者は大口の購入先を獲得できる。
【００４４】
以上説明したように本発明によれば、記録装置及び記録システムの使用者が意図する出力内容以外に記録装置及び記録システムを使用する当事者以外の第三者（情報提供者）の情報を混在させる手段を有し、使用者が記録を行うたびに情報提供者の情報が使用者に伝えられることに対する対価を情報提供者は記録装置および記録システムの消耗品の製造者に支払うことで使用者が記録装置を使用していく上に必要な消耗品を安価または無償で使用できる状況を実現可能となった。
【００４５】
または前記記録装置自体に情報提供者の情報内容を記憶しているため記録を行う度に情報内容を提供するという繰り返し効果がある。
【００４６】
更に複数の情報提供者が存在するために、情報提供者間の競争意識が働き、更にコストの低減に寄与できる可能性がある。
【００４７】
前記情報の量が異なる複数種類の添付情報の中から使用者は選ぶことができるので使用者の意図する内容に応じた記録が可能であり、また複数の添付情報は複数の情報提供者からの情報により形成するので、情報提供者が複数の情報提供者の代行をすることも可能となる。
【００４８】
商取引上の流通形態において情報提供者という第三者が介在することで使用者は記録装置の消耗品の購入に際して対価を支払わずに若しくは安価で取得可能となり、製造者は売り上げの確保を可能とすることができた。
【００４９】
使用者は意図する内容以上に情報が記録されることを許容することで記録装置の消耗品を無償または安価で提供を受けられ、また情報提供者は使用者の意志如何に関わらず使用者に情報を提示可能となった。
【図面の簡単な説明】
【図１】本発明における記録装置の出力までのフローチャート。
【図２】本発明における記録装置に用いるインクタンクの外観斜視図。
【図３】流通形態の従来例を示す簡略図。
【図４】本発明における記録装置の流通形態を示す簡略図。
【図５】他の実施例における記録装置に用いる記録ヘッドの外観斜視図。
【図１】
2004025722.tif 000003
【図２】
2004025722.tif 000004
【図３】
2004025722.tif 000005
【図４】
2004025722.tif 000006
【図５】
2004025722.tif 000007